(57)【要約】少なくとも２つのハウジング部分（２）と、プリント配線板（５）に設けられた、ハウジング（１）内に配置可能な電子回路とを備えた、電気的な装置に用いられるハウジング（１）が提案される。さらに、装置への電圧供給および／または電子回路へ信号伝送のための、ハウジング（１）に取付け可能な接続装置が設けられている。１つのハウジング部分（２）に一体に結合されたハウジング壁（４）は、両ハウジング部分（２）の組合せ後、接続装置を収容するための、妨害放射に対して安全な室状の加工成形部（３）を形成している。さらに、少なくとも１つの導電性のコンタクト素子（６）が、室（３）のハウジング壁（４）と、プリント配線板（５）の、ハウジングのアースに接続された導体路との間に配置されている。
2004519869.tif 000002
【特許請求の範囲】
【請求項１】
電気的な装置に用いられるハウジングであって、
−少なくとも２つの金属製のハウジング部分（２）と、プリント配線板（５）に設けられた、当該ハウジング（１）内に配置可能な電子回路とが設けられており、
−装置への電圧供給および／または電子回路への信号伝送のための、当該ハウジング（１）に取付け可能な接続装置が設けられている形式のものにおいて、
一方の金属製のハウジング部分（２）に機械的に結合されると同時に電気的に接続された伝導性のハウジング壁（４）が設けられており、該ハウジング壁（４）によって、金属製のハウジング部分（２）の組合せ後、接続装置を収容するための、妨害放射に対して安全な室状の加工成形部（３）が形成されており、少なくとも１つの導電性のコンタクト素子（６）が、室（３）のハウジング壁（４）と、プリント配線板（５）の、当該ハウジング（１）のアースに接続された導体路との間に配置されていることを特徴とする、電気的な装置に用いられるハウジング。
【請求項２】
少なくとも１つのコンタクト素子（８）が、カバー（５０）とプリント配線板（５）の導体路との間に配置されており、該導体路が、当該ハウジング（１）のアースに接続されている、請求項１記載のハウジング。
【請求項３】
コンタクト素子（６，８）が、コンタクトばねとして形成されている、請求項１または２記載のハウジング。
【請求項４】
ハウジング壁（４）および／またはカバー（５０）が、一体に結合されたそれぞれ少なくとも１つの延長部を有している、請求項１から３までのいずれか１項記載のハウジング。
【請求項５】
ハウジング壁（４）および／またはカバー（５０）が、一体に結合されたそれぞれ少なくとも１つの延長部を有しており、該延長部に導電性のコンタクト素子（６，８）が取り付けられている、請求項１から４までのいずれか１項記載のハウジング。
【請求項６】
ギャップ領域への構成素子（３０，４０）の配置が可能となるようにギャップ高さ（２０，２５）が調整されている、請求項１から５までのいずれか１項記載のハウジング。
【請求項７】
ギャップ領域にコンデンサが配置されている、請求項１から６までのいずれか１項記載のハウジング。
【請求項８】
ハウジング壁（４）が、ハウジング部分（２）に一体に結合されている、請求項１から７までのいずれか１項記載のハウジング。
【請求項９】
当該ハウジング（１）と、ハウジング部分（２）と、カバー（５０）と、ハウジング壁（４）とが、アルミニウムダイカストから製造されている、請求項１から８までのいずれか１項記載のハウジング。
【請求項１０】
電気的な装置が、自動車内の電気機械的な構成部分のための制御装置および／または調整装置である、請求項１から９までのいずれか１項記載のハウジング。
【発明の詳細な説明】
【０００１】
背景技術
本発明は、独立請求項の上位概念部に記載した形式の、電気的な制御装置に用いられるハウジング、特に電気機械的な装置のための制御装置または調整装置に用いられるハウジングに関する。
【０００２】
たとえば特に自動車内の電気機械的な装置を制御するための電気的な装置に用いられるハウジングを製作する場合には、ハウジング部分の密な結合と、制御装置電子回路のための良好な電磁遮蔽（ＥＭＶ）とが可能な限り僅かな製作手間で達成可能となることに注意しなければならない。
【０００３】
すでにドイツ連邦共和国特許出願公開第３９３７１９０号明細書に基づき、電気的な装置が公知である。この公知の装置では、内燃機関の構成要素のための制御装置電子回路がハウジング内に配置されている。このハウジングはエンジンユニットの領域に取り付けられている。２つの部分から成る金属製のハウジングは電磁遮蔽されて閉鎖することができる。この場合、ハウジング内には、接続線路のための接続装置が組み込まれている。この接続装置を介して電圧供給と測定・制御信号の伝送とが可能となる。
【０００４】
ドイツ連邦共和国特許出願公開第４２４３１８０号明細書に基づき、制御装置に用いられる、複数の部分から成るハウジングが公知である。この公知のハウジングでは、十分な妨害放射シールと良好な熱導出とを獲得するために、出力構成素子と制御構成素子とを支持するプリント配線板が、導電性のかつ熱伝導性の材料から成る、全周にわたって延びるライニングを備えている。ここでは、プリント配線板が、互いに導電的に接続されたライニングの領域でハウジング半部の間に緊締されている。この場合、出力構成素子は熱伝導的にライニングとコンタクト形成されている。この場合、妨害放射が集中するかまたは妨害放射に対して敏感な制御素子は、ハウジング部分の壁から突出した管片によって閉じ込められている。
【０００５】
さらに、幾つかの制御装置ハウジングにおいて、いわゆる「アース薄板」の組込みによって、ハウジングの接続装置に設けられたコネクタ条片のための開口が高周波の妨害放射に対してシールされることが公知である。これによって、コネクタ条片絶縁体のために非導電性の材料が使用されるにもかかわらず、ほぼファラデー遮蔽が得られる。このファラデー遮蔽によって、望ましくない入射と出射とを有効に抑圧することができる。しかし、制御装置アースに対するアース薄板のコンタクト形成には、ハウジングのシールを極めて困難にするジオメトリが必要となる。この場合、コネクタ条片開口の領域でのハウジングの機械的な強度が、ハウジングのその他の壁の壁厚さの増加によって保証されなければならない。
【０００６】
発明の利点
少なくとも２つのハウジング部分と、ハウジング内に配置可能なプリント配線板と、ハウジングに取付け可能な接続装置とを備えた、冒頭に記載したハウジングは、本発明によれば、請求項１の特徴部に記載の特徴によって改良されている。有利には、本発明によれば、ハウジング部分に一体に結合されたハウジング壁が設けられており、このハウジング壁によって、ハウジング部分の組合せ後、密なかつ非密な装置のために、接続装置を収容するための、妨害放射に対して安全な室が形成されている。
【０００７】
さらに、この場合、本発明によるハウジング壁によるハウジングの機械的な補強によって、その他のハウジング壁の壁厚さ最適化が可能となる。この場合、本発明によるハウジング壁によって閉鎖されたコネクタ条片開口が、その他の壁の機械的な補強によってもはや安定化される必要はない。
【０００８】
有利には、本発明によるハウジングが、少なくとも１つの導電性のコンタクト素子を、室のハウジング壁と、プリント配線板の、ハウジングのアースに接続された導体路との間に有している。ハウジング壁をコンタクト素子と相俟って使用することによって、特に自動車内の電気機械的な構成部分のための制御装置および／または調整装置に用いられる機械的に非密なかつシールされた装置は、接続装置に設けられたコネクタ条片の形とは無関係に高周波密な遮蔽も装備することができる。この場合、たとえば移動無線に使用される、特に５０ｃｍよりも小さな波長を備えたＧＨｚ範囲内の周波数が考慮されなければならない。十分な電磁遮蔽は、開口と、特にギャップとが、入射する妨害放射の波長よりも著しく小さい場合に初めて保証されている。この場合、特にギャップの長さ寸法も考慮されなければならない。いま、１つのコンタクト素子を備えたハウジング壁の有利な構成では、電磁放射がコンタクト素子の領域でハウジングアースにガイドされ、したがって、効果的に有効なギャップ長さが減少させられることが可能となる。複数のコンタクト素子を配置することによって、ギャップ長さが一層減少させられ、したがって、電磁両立性が、より高い周波数に対して改善される。
【０００９】
カバーとプリント配線板との間にコンタクト素子を設けることができると有利である。これによって、プリント配線板の上面にも、電磁的に防護された領域が形成され、この領域にも構成素子の配置が可能となる。
【００１０】
コンタクト素子として、有利には、フレキシブルなばねエレメントを使用することができる。このばねエレメントによって、簡単なかつ迅速な組付けが可能となり、ギャップ高さにおける小さな変化を補償することができる。
【００１１】
さらに、有利には、延長部をハウジング壁および／またはカバーに設けることができるので、別のコンタクト素子なしのまたは単純なコンタクト素子との電気的なコンタクト形成を行うことができる。
【００１２】
別の有利な構成では、延長部がコンタクト素子、特にコンタクトばねのための取付け部として働くことができる。これによって、機械的に安定した延長部の利点とコンタクト素子の利点とを互いに組み合わせることができる。したがって、ギャップ高さが、主として、延長部によって橋渡しされ、コンタクト形成が、たとえばフレキシブルなコンタクト素子を介して行われる。
【００１３】
有利には、ギャップ領域に構成素子が配置されているようにギャップ高さを選択することができる。これによって、回路デザインにおける多くの自由度が可能となる。
【００１４】
特にギャップ領域にコンデンサをを配置することができると有利である。このコンデンサは、電磁的に防護された領域の外部からの妨害を遮断することができる。
【００１５】
有利には、ハウジング壁がハウジング部分に一体に結合されている。したがって、ハウジング壁を、たとえばダイカスト法と同時に１回の作業ステップでハウジング部分と共に製造することができる。ハウジング壁の一体の加工成形は同時にハウジングを補強し、安定性を失うことなしに、ハウジング壁厚さを減少させることを可能にする。
【００１６】
有利には、ハウジングがアルミニウムダイカストで形成されている。これによって、導電性のかつ良熱伝導性の安定したハウジングの簡単な製作が可能となる。
【００１７】
本発明の有利な構成の上述した特徴および別の特徴は、従属請求項を含む特許請求の範囲、以下の実施例の説明および図面の簡単な説明から得られる。この場合、個々の特徴はそれぞれそれ自体単独でまたは複数の特徴を組み合わせた形で本発明の構成を成している。
【００１８】
実施例の説明
以下に、本発明の実施例を図面につき詳しく説明する。
【００１９】
図１には、電気的な制御装置に用いられるハウジング１が示してある。このハウジング１は、図４にカバー５０として示した上側のハウジング部分（図示せず）と、たとえばアルミニウム鋳物から成る下側のハウジング部分２とを有している。ハウジング１ひいては下側のハウジング部分２に設けられた適宜な加工成形部３内には、コネクタ部材の形の接続装置を接合することができる。コネクタ部材は、電圧供給のための差込みコンタクトまたは制御装置に用いられる信号線路とのコンタクト形成のための差込みコンタクトを有している。
【００２０】
ハウジング部分２内にはハウジング壁４を見ることができる。このハウジング壁４は、ハウジング１の一次成形（Ｕｒｆｏｒｍｅｎ）時に一緒に鋳造することができ、いわゆる「ファラデー遮蔽」を形成し得るように、コネクタ部材の背後でハウジング１を閉鎖する役割を有している。この場合、ハウジング壁４は、ハウジング１のその他のハウジング壁の壁厚さ最適化も可能となるようにハウジング１を補強している。
【００２１】
図２には、室状の加工成形部３の方向から見た、コネクタ部材を収容するためのハウジング壁４を備えた図１に示したハウジング１もしくはハウジング部分２の別の図が示してある。ここでは、プリント配線板５を見ることができる。このプリント配線板５は、電気的な制御装置のための電子回路をハウジング１内に支持している。プリント配線板５はハウジング壁４の全領域をカバーしていて、ハウジング部分２によって取り囲まれる。プリント配線板５には、ここでは少なくとも１つのコンタクト素子６がはんだ付けされていて、プリント配線板５のアースに接続されている。
【００２２】
図２に示したコンタクト素子６は、図３に示した断面図でより明確に知ることができ、ハウジング壁４とプリント配線板５との間に形成されたギャップを電気的に橋絡し、これによって、ファラデー遮蔽を完全に閉鎖する役割を有している。コンタクト素子６のフレキシブルな配置形式によって、残りの残留ギャップ長さを、その都度提供される要求に簡単に適合させることが可能となる。この場合、当然ながら、要求に応じてコンタクト素子６が複数回使用されてよい。
【００２３】
図４には、ハウジング壁４に沿った断面図が示してある。ハウジング壁４の上方にはプリント配線板５が配置されている。この場合、両エレメントはハウジング部分２によって取り囲まれる。プリント配線板５の上方には上側のハウジング部分が位置している。このハウジング部分は、図４では上側に位置していることに基づき以下でカバー５０と呼ぶことにする。しかし、制御装置の組込み位置に関連して、当然ながら、「カバー」が「底部」であってもよい。装置の左右には下側のハウジング部分２のハウジング側壁１００，２００が位置している。ハウジング壁４とプリント配線板５との間の中間にはコンタクト素子６が配置されている。カバー５０とプリント配線板５との間の中間にはコンタクト素子８が配置されている。プリント配線板５の下面と上面には構成素子３０，４０が設けられている。ギャップ高さ２０はハウジング壁４とプリント配線板５との間の間隔から得られ、ギャップ高さ２５はプリント配線板５とカバー５０との間の間隔から得られる。両ハウジング側壁１００，２００の間にはギャップ長さ１０が延びている。残留ギャップ長さ１１；１２はコンタクト素子６とハウジング側壁１００との間の間隔およびコンタクト素子６とハウジング側壁２００との間の間隔によって規定される。コンタクト素子８に対する残留ギャップ長さ（図示せず）は匹敵し得る形式で得られる。
【００２４】
この構造は、プリント配線板５の両面に設けられたコンタクト素子６，８によって、電磁的に防護された領域が形成されるという利点を有している。さらなるコンタクト素子６，８の配置によって、残留ギャップ長さを減少させることができる。これによって、電磁両立性が一層改善される。さらに、コンタクト素子６，８の使用によって、ギャップ高さ２０，２５を回路技術的な状況に適合させることが可能となる。特にギャップ領域には構成素子を設けることができる。ここでは、外部の妨害信号を遮断するためのコンデンサを配置することができると特に有利である。
【００２５】
コンタクト素子６，８は、主として、侵入する電磁放射がコンタクト素子６，８の領域でハウジングアースにガイドされることによって、ギャップ長さを減少させる役割を有している。残りの残留ギャップ長さが、入射する電磁波の波長よりも小さい場合には、さらなる伝搬が減衰され、この装置の背後に位置する構成素子が電磁的に防護される。この役割を果たすためには、コンタクト素子が金属で形成されていなければならない。ここでは、フレキシブルなばねエレメントを設けることができると有利である。しかし、ハウジング壁４および／またはカバー５０に一体に結合された延長部も可能である。この延長部は、プリント配線板５の導体路に直接接続されていてもよいし、コンタクト形成のためにフレキシブルなばねエレメントを支持していてもよい。延長部は、それぞれカバー５０の１つの延長部がハウジング壁４の１つの延長部とコンタクト形成するように形成することもできる。
【００２６】
さらに、互いに反対の側に位置するコンタクト素子を備えた構造は、ハウジング壁とプリント配線板とに対する、ただ１つのコンタクト素子の使用時に生ぜしめられる機械的な負荷が補償されるという利点を有している。
【図面の簡単な説明】
【図１】
コネクタ部材のための妨害放射密な室を形成するための付加的なハウジング壁を備えたハウジング部分の概略図である。
【図２】
プリント配線板を備えた、図１に示したハウジング部分の室の正面図である。
【図３】
室と、プリント配線板と、ハウジング壁とプリント配線板との間のコンタクト素子とを備えたハウジングの領域の断面図である。
【図４】
ハウジング壁に沿った概略的な断面図である。
【符号の説明】
１  ハウジング、  ２  ハウジング部分、  ３  加工成形部、  ４  ハウジング壁、  ５  プリント配線板、  ６，８  コンタクト素子、  １０  ギャップ長さ、  １１，１２  残留ギャップ長さ、  ２０，２５  ギャップ高さ、  ３０，４０  構成素子、  ５０  カバー、  １００，２００  ハウジング側壁
【国際公開パンフレット】
2004519869.tif 000003
2004519869.tif 000004
2004519869.tif 000005
2004519869.tif 000006
2004519869.tif 000007
2004519869.tif 000008
2004519869.tif 000009
2004519869.tif 000010
2004519869.tif 000011
2004519869.tif 000012
2004519869.tif 000013
2004519869.tif 000014
2004519869.tif 000015
2004519869.tif 000016
2004519869.tif 000017
2004519869.tif 000018
【国際調査報告】
2004519869.tif 000019
2004519869.tif 000020
2004519869.tif 000021
2004519869.tif 000022